(57)【要約】  本発明は、アミン末端官能基を有し、カプロラクタムに対する脂肪族アミンＲ１ＮＨ２との反応によって生成される、脂肪族アミド主体型ゲル化用添加剤に関し、アミンは、アミン形態または塩化された形態であり、上記反応から生じ、導入されたカプロラクタム単位の数ｎが、それぞれ１、２および３であり、単位の平均数ｎが、０．８から３の間である、相異なる３つのアミド化合物の混合物からなり、またはこうした混合物を含む。本発明はまた、ヒドロゲルまたは有機ゲルの形態になっている、前記添加剤を含む水性組成物、または有機溶剤媒体に溶かした組成物にも関する。特に、添加剤は、水に溶かしたヒドロゲル化剤として使用され、または、コーティング、にかわ、接着剤または化粧品用の、または界面活性剤または剥離剤、汚染除去剤もしくは凝集剤としての、または繊維処理用またはテキスタイル処理用水性組成物としての水性組成物に溶かしたヒドロゲル化剤として使用される。【特許請求の範囲】
【請求項１】
脂肪族アミンＲ１ＮＨ２と、アミン形態または塩化されたアンモニウム塩形態の末端アミン官能基を有するカプロラクタムとの付加反応における、中和剤による前記アミン官能基の中和による生成物である、脂肪族アミドを主体とするゲル化剤添加剤であって、前記反応から生じ、導入されたカプロラクタム単位の数ｎによって特徴付けられ、前記数ｎがそれぞれ１、２および３である、相異なる３つのアミド化合物の混合物からなり、またはこうした混合物を含み、ここで、単位の平均数ｎ（分子当たりの平均）が、０．８から３までの範囲、好ましくは０．９から２．７５までの範囲、より好ましくは０．９から２．５までの範囲であることを特徴とする、ゲル化剤添加剤。
【請求項２】
前記３つのアミド化合物が、下記の式（Ｉ）に従って規定され、それぞれｎ＝１、ｎ＝２およびｎ＝３に相当し、
Ｒ１−ＮＨ−［−Ｃ（＝Ｏ）（ＣＨ２）５ＮＨ］ｎ−１−Ｃ（＝Ｏ）（ＣＨ２）５−Ｙ  （Ｉ）
ここで、アミンが塩化された形態である場合、Ｙが、−ＮＨ２または−ＮＨ３＋Ｘ−であり、Ｘ−が、使用された酸中和剤に関連する有機対アニオンまたは無機対アニオンＸ−Ｈであることを特徴とする、請求項１に記載の添加剤。
【請求項３】
前記脂肪族アミンが、１０個から２４個までの範囲である、幾つかの炭素原子を含むことを特徴とする、請求項１または２に記載の添加剤。
【請求項４】
前記アミン官能基が、塩化された形態であり、前記中和剤が、有機酸または無機酸から選択されることを特徴とする、請求項１から３の一項に記載の添加剤。
【請求項５】
前記添加剤が、好ましくは５０μｍ未満、好ましくは２５μｍ未満という体積平均サイズを有する、微粒子化された粉末の形態であることを特徴とする、請求項１から４の一項に記載の添加剤。
【請求項６】
水に溶かしたゲル形態であり、または有機溶剤に溶かしたゲル形態であり、好ましくは５重量％未満の含量になっており、より好ましくは１重量％を超えない含量になっている、請求項１から５の一項に記載の添加剤であって、さらにより好ましくは、水に溶かしたゲル形態のヒドロゲル化剤として使用されることを特徴とする、添加剤。
【請求項７】
前記脂肪族アミンに対する前記カプロラクタムのモル比が、０．８から３までの範囲、好ましくは０．９から２．７５までの範囲、より好ましくは０．９から２．５までの範囲である、脂肪族アミンＲ１ＮＨ２とカプロラクタムとの付加反応の段階を含み、いかなる分離段階または精製段階も含まないことを特徴とする、請求項１から６の一項に従って規定される添加剤の調製のための方法。
【請求項８】
請求項１から６の一項に従って規定される少なくとも１つの添加剤または請求項７に従って規定される方法によって得られる少なくとも１つの添加剤を、ゲル化剤として、特に水性組成物用のヒドロゲル化剤として含むことを特徴とする、水性組成物、または有機溶剤媒体中の組成物、好ましくは水性組成物。
【請求項９】
水性組成物であり、酸性ｐＨを有し、好ましくは５未満、より好ましくは４未満であることを特徴とする、請求項８に記載の組成物。
【請求項１０】
水性界面活性剤であり、特に洗剤組成物、剥離剤組成物、汚染除去剤組成物または凝集剤組成物であることを特徴とする、請求項８または９に記載の組成物。
【請求項１１】
水性有機結合剤組成物であり、特にコーティング組成物、接着剤組成物もしくは化粧品組成物、または繊維処理用もしくはテキスタイル処理用水性組成物であり、前記ヒドロゲル化剤が、レオロジー添加剤であることを特徴とする、請求項８または９に記載の水性組成物。
【請求項１２】
ワニス、塗料またはインクから選択されるコーティング組成物であることを特徴とする、請求項１１に記載の組成物。
【請求項１３】
有機ゲル形態になっている前記溶剤中の前記添加剤の組成物、または、コーティング組成物であって、特に塗料、ワニス、インクもしくはゲルコートから選択されるコーティング組成物、または接着剤組成物、またはマスチック剤もしくは漏出防止剤、または剥離剤組成物または成型加工用組成物である、有機溶剤媒体中の組成物であることを特徴とする、請求項８に記載の組成物。
【請求項１４】
有機ゲル化剤としての有機溶剤媒体中の組成物用、またはヒドロゲル化剤としての水性組成物用のゲル化剤添加剤としての、請求項１から６の一項に記載の脂肪族アミドの使用。
【請求項１５】
前記添加剤が、ヒドロゲルを得るために水中でヒドロゲル化剤として使用され、または、水性の洗剤組成物、汚染除去剤組成物、剥離剤組成物もしくは凝集剤組成物、または水性コーティング組成物、特に水性の塗料組成物、ワニス組成物もしくはインク組成物、または接着剤組成物または化粧品組成物または、繊維処理用もしくはテキスタイル処理用組成物中のヒドロゲル化剤として使用されることを特徴とする、請求項１４に記載の使用。
【請求項１６】
前記添加剤が、有機ゲルを得るために有機溶剤中で有機ゲル化剤として使用され、または、有機溶剤媒体中の組成物、特に塗料、ワニス、インクもしくはゲルコートから選択されるコーティング組成物、または接着剤組成物または化粧品組成物または成型加工用組成物、またはマスチック剤もしくは漏出防止剤、または剥離剤組成物において有機ゲル化剤として使用されることを特徴とする、請求項１４に記載の組成物。
【請求項１７】
請求項１から６の一項に従って規定される添加剤または請求項７に従って規定される方法によって得られる添加剤の、請求項１４から１６の一項に従って規定される使用から生じる、生成物であることを特徴とする、有機ゲルまたはヒドロゲルから選択されるゲル、特にヒドロゲル。
【請求項１８】
水性媒体中におけるヒドロゲル化剤としての、より詳細にはレオロジー添加剤としての、請求項１から６の一項に従って規定される少なくとも１つの添加剤または請求項７に従って規定される方法によって得られる少なくとも１つの添加剤の使用から生じ、特にコーティングまたは接着剤または化粧品または洗剤または剥離剤または汚染除去剤または処理済み繊維または処理済みテキスタイルから選択される、最終生成物。
【発明の詳細な説明】
【技術分野】
【０００１】
本発明は、アミン末端部または塩化されたアミン末端部を有し、有機媒体または水性媒体用のゲル化剤として使用され、特に、コーティングもしくは接着剤、または繊維処理もしくはテキスタイル処理、または洗剤用、剥離剤（ｓｔｒｉｐｐｉｎｇ  ａｇｅｎｔ）用、汚染除去剤用もしくは凝集剤用等、水性媒体用のヒドロゲル化剤として使用される、脂肪族アミド添加剤に関する。
【背景技術】
【０００２】
水中または有機溶剤中でそれぞれヒドロゲル化剤添加剤および有機ゲル化剤添加剤によってゲル化し得る様々な系が、すでに公知となっており、様々な用途で使用されている。
【０００３】
ＦＲ２９７６９４８では、様々な用途、特に洗浄力に関する用途用の（含塩型）水性媒体中のゲルを得るための、ホウ酸等といったホウ素の酸と、Ｎ−アルキルアルドンアミド、特にＮ−ドデシル−Ｄ−グルコンアミドと、ＮａＣｌ等の一価塩との三成分による組合せが記述されている。
【０００４】
公知のヒドロゲル化剤には、例えばＭ．ＳｕｚｕｋｉらによりＣｈｅｍ．Ｓｏｃ．Ｒｅｖ．，２００９，３８，９６７−９７５で記述されている、リシン誘導体を主体とするヒドロゲル化剤が挙げられ、上記の記述では、有機ゲル化剤として使用される誘導体についても記述されている。リシンから出発するジ尿素−エステル、アミド−エステルまたはアミド−尿素−エステルについては、上記の誘導体の中でも特に記述されている。
【０００５】
ヒドロゲル化剤の検討については、キャラクタリゼーション方法および既知の構造の一覧表が含まれているＣｈｅｍｉｃａｌ  Ｒｅｖｉｅｗｓ，２００４，１０４，３，１２０１−１２１７において、Ｌ．Ａ．Ｅｓｔｒｏｆｆらが実施している。親水性頭部および１つまたは２つの疎水性鎖を有する慣例的な両方新媒性誘導体と、疎水性鎖を介して結合し合った２つの親水性頭部を有する双頭型両親媒性物質と、柔軟な２つの末端鎖を備えた剛直なスペーサーによって隔てられている二重のイオン性頭部を有する界面活性剤と、糖に由来した系は、特に選出に値するものである。分子の親水性と疎水性との満足できる折り合いの発見を見出すために適用可能な一般規則は存在しないと認識されており、従って、水性媒体中でゲルを形成する能力と、繊維沈殿の予防し易さとの間にも一般規則は存在しないと認識されている。
【先行技術文献】
【特許文献】
【０００６】
【特許文献１】仏国特許第２９７６９４８号明細書
【非特許文献】
【０００７】
【非特許文献１】Ｍ．Ｓｕｚｕｋｉら，Ｃｈｅｍ．Ｓｏｃ．Ｒｅｖ．，２００９，３８，９６７−９７５
【非特許文献２】Ｌ．Ａ．Ｅｓｔｒｏｆｆら，Ｃｈｅｍｉｃａｌ  Ｒｅｖｉｅｗｓ，２００４，１０４，３，１２０１−１２１７
【発明の概要】
【発明が解決しようとする課題】
【０００８】
上記ヒドロゲル化剤または有機ゲル化剤の欠点は、アミノ酸を主体とする点であり、アミノ酸には、前記ゲル化剤の調製用の条件によっては副反応が起きる可能性があり、特に、制御を受けていない鎖伸長が起きる可能性があり、従って、アミノ酸の微細構造に影響が及ぼされ、この結果、ゲル化剤に関するアミノ酸の性能にも影響が及ぼされる可能性がある。さらに、引用した文献のいずれにおいても、カプロラクタムによって改質され、本発明の主題である、現行技術の欠点を克服するための改良された性能を有する、アミド添加剤をどのように得るかについては、記述または教示がない。
【０００９】
特に、本発明は、アミノ酸に依拠することなく、または、塩化アシルを必要とする幾つかの段階において重縮合によって反応する酸およびアミンに依拠することなく、（Ｃ６アミノ酸と等価な）カプロラクタム構造によって改質された新規なアミド添加剤を開発しようとするものである。
【００１０】
こうした新規なアミドは、回避困難である等価なアミノ酸との副反応または酸／アミン縮合による副反応をも防止するためにカプロラクタムの開環が制御を受け、最終生成物の分離段階および／または精製段階を必要としない、実施が簡便で実用的な調製方法の使用を可能にしなければならない。前記新規なアミドは、このアミドと結びつけて使用され得る結合剤、特に水性結合剤の特異的な性能に影響することなく、有機媒体中または水性媒体中、特に水性媒体中で満足なゲル化剤レオロジー性能を示さなければならない。
【発明を実施するための形態】
【００１１】
本発明の第１の主題は、特定の組成になるように制御を受けた特定の比における、脂肪族アミンとカプロラクタムとの付加反応（副生成物の排除は存在しない。）の生成物である、脂肪族アミドを主体とするゲル化剤添加剤である。
【００１２】
従って、本発明の第１の主題は、脂肪族アミンＲ１ＮＨ２と、アミン形態または塩化されたアンモニウム塩形態の末端アミン官能基を有するカプロラクタムとの付加反応における、中和剤による前記アミン官能基の中和による生成物である、脂肪族アミドを主体とするゲル化剤添加剤であって、（前記添加剤）が、前記反応（縮合）から生じ、導入されたカプロラクタム単位の数ｎによって特徴付けられ、数ｎがそれぞれ１、２および３である、相異なる３つのアミド化合物の混合物からなり、またはこうした混合物を含み、ここで、単位の平均数ｎ（分子当たりの平均）は、０．８から３までの範囲、好ましくは０．９から２．７５までの範囲、より好ましくは０．９から２．５までの範囲である、ゲル化剤添加剤である。より詳細には、前記３つのアミド化合物は、式（Ｉ）に従って規定することができ、それぞれｎ＝１、ｎ＝２およびｎ＝３に相当し、
Ｒ１−ＮＨ−［−Ｃ（＝Ｏ）Ｃ（＝Ｏ）（ＣＨ２）５ＮＨ］ｎ−１−Ｃ（＝Ｏ）（ＣＨ２）５−Ｙ  （Ｉ）
ここで、アミンが塩化された形態である場合、Ｙが、−ＮＨ２または−ＮＨ３＋Ｘ−であり、Ｘ−が、使用された酸中和剤に関連する有機対アニオンまたは無機対アニオンＸ−Ｈである。
【００１３】
好ましくは、前記脂肪族アミンＲ１ＮＨ２は、１０個から２４個までの範囲である、幾つかの炭素原子を含み、これは、Ｒ１が、Ｃ１０からＣ２４までのアルキルであり、Ｒ１が、好ましくは線形であることを意味する。
【００１４】
適切な例としては、デシルアミン、ウンデシルアミン、ドデシルアミン（またはラウリルアミン）、トリデシルアミン、テトラデシルアミン、ペンタデシルアミン、ヘキサデシルアミン、ヘプタデシルアミン、オクタデシルアミン（またはステアリルアミン）、イコサンアミン、ドイコサンアミンもしくはテトライコサンアミン、またはこれらの異性体およびこれらの混合物等、Ｒ１ＮＨ２の脂肪族モノアミンを挙げることができる。より詳細には、前記アミン官能基は、特にヒドロゲル化剤としての使用のための塩化された形態であってよく、使用される前記中和剤は、有機酸または無機酸から選択される。
【００１５】
無機酸の適切な例としては特に、塩酸、硫酸、リン酸、ホウ酸または硝酸を挙げることができる。
【００１６】
有機酸の適切な例としては、カルボン酸、スルホン酸、ホスホン酸およびホスフィン酸を挙げることができる。
【００１７】
本発明の前記添加剤は特に、水に溶かしたゲル形態において使用してもよいし、または有機溶剤に溶かしたゲル形態において使用してもよく、好ましくは５重量％未満の含量になっており、より好ましくは１重量％を超えない含量になっており、この百分率は、水＋添加剤の重量を基準として規定されたものであり、さらにより好ましくは、前記添加剤は、水に溶かしたゲル形態、言い換えると即ち、ヒドロゲル形態のヒドロゲル化剤として使用される。
【００１８】
前記添加剤は、好ましくは５０μｍ未満、好ましくは２５μｍ未満という体積平均サイズを有する、微粒子化された粉末の形態であり得る。この粒径分布は、レーザー回折によれば、乾燥粉末について直接測定することができる。こうした測定技法は、レーザービームを通過する粒子が、これらの粒子のサイズに応じた異なる角度に従って光を回折させることという原理に基づいており、ここで、小さなサイズを有する粒子は、大きな角度で回折する一方、より大きなサイズを有する粒子は、小さな角度で回折する。
【００１９】
前記有機溶剤は好ましくは、相分離が存在しない均一な混合物であり、Ｃ１からＣ４までのアルコール、ジメチルスルホキシド（ＤＭＳＯ）もしくはジメチルホルムアミド（ＤＭＦ）、Ｎ−メチルピロリドン（ＮＭＰ）、Ｎ−エチルピロリドン（ＮＥＰ）または極性有機可塑剤等の極性有機溶剤を含む、極性有機溶剤または有機溶剤である。
【００２０】
本発明の第２の主題は、脂肪族アミンＲ１ＮＨ２とカプロラクタムとの付加反応の段階を含み、いかなる分離段階または精製段階も含まない、本発明によるゲル化剤添加剤の調製のための方法であって、前記脂肪族アミンに対する前記カプロラクタムのモル比が、０．８から３までの範囲、好ましくは０．９から２．７５までの範囲、より好ましくは０．９から２．５までの範囲である、方法である。上記付加反応は、不活性雰囲気下、２００℃から３００℃までの範囲の温度で起き得る、溶融状態におけるバルク付加反応である。冷却後、得られた生成物は、機械的粉砕または空気ジェットによって微粒子化される。ふるい分けは、例えばＭａｌｖｅｒｎ製のＭａｓｔｅｒｓｉｚｅｒ（Ｒ）Ｓ等を用いたレーザー回折によって測定して５０μｍ未満、好ましくは２５μｍ未満という体積平均サイズになるように制御を受けた、微細な粒径分布の達成を可能にするものであり得る。例えばルイス酸またはルイス塩基等の触媒が、上記付加反応のために使用されてもよい。
【００２１】
本発明の別の主題は、ゲル化剤として、特に水性組成物用のヒドロゲル化剤として、より詳細にはレオロジー添加剤として使用される、上記で規定されている少なくとも１つの添加剤または上記で規定された本発明による方法によって得られる少なくとも１つの添加剤を含む、水性組成物、または有機溶剤媒体中の組成物、好ましくは水性組成物である。好ましくは、前記組成物は水性であり、好ましくは５未満、より好ましくは４未満の酸性ｐＨを有する。
【００２２】
このｐＨは、水中におけるゲル形態（ヒドロゲル）において存在する添加剤に関しても同様に有効である。
【００２３】
このｐＨは、過剰にした前記有機酸または前記無機酸の添加によって、調整することができる。
【００２４】
より特定的な選択肢によれば、前記組成物は、水性有機結合剤組成物、特にコーティング組成物であり、より詳細には、ワニス、塗料またはインクから選択されるコーティング組成物、または接着剤組成物もしくは化粧品組成物、または繊維処理用もしくはテキスタイル処理用水性組成物に関しては、前記ヒドロゲル化剤添加剤は、レオロジー添加剤である。こうした組成物に関する選択肢において、前記水性組成物は、有機結合剤組成物であり、従って、前記添加剤の他に、目的とする用途に関連した少なくとも１つの有機結合剤も含む。別の水性組成物に関する選択肢によれば、上記水性組成物は、有機結合剤を含まなくてもよく、ヒドロゲル形態になっている水に溶かした前記添加剤の組成物であってもよく、または、上記水性組成物は、界面活性剤、特に洗剤または剥離剤または汚染除去剤または凝集剤組成物であってよい。
【００２５】
前記添加剤が、有機溶剤媒体（または有機媒体）、好ましくは極性媒体中の有機ゲル化剤として使用される場合、こうした使用から生じる有機媒体中の前記組成物は、有機ゲル形態になっている前記溶剤中の前記添加剤の組成物であってもよく、または、特に塗料、ワニス、インクもしくはゲルコートから選択されるコーティング組成物、または接着剤組成物、またはマスチック剤もしくは漏出防止剤、または剥離剤組成物または成型加工用組成物であってもよい。
【００２６】
前記添加剤をヒドロゲル化剤として含む水性組成物は、さらに特段に好ましい。
【００２７】
本発明はまた、有機ゲル化剤としての有機溶剤媒体中の組成物用、またはヒドロゲル化剤としての水性組成物用のゲル化剤添加剤としての、上記で規定された本発明による脂肪族アミド添加剤の使用にも関する。より詳細には、前記添加剤は、ヒドロゲルを得るために水中でヒドロゲル化剤として使用され、または、水性の洗剤組成物、汚染除去剤組成物、剥離剤組成物もしくは凝集剤組成物、または水性のコーティング組成物または接着剤組成物または化粧品組成物、または繊維処理用もしくはテキスタイル処理用水性組成物中でヒドロゲル化剤として使用される。水性コーティング組成物は、前記ヒドロゲル化剤添加剤がレオロジー添加剤として使用される場合、特に好ましい。
【００２８】
塩化されていない形態の場合は特に、前記添加剤は、有機ゲルを得るために有機溶剤、好ましくは極性溶剤中の有機ゲル化剤として使用してもよく、または、有機溶剤媒体中の組成物、特に塗料、ワニス、インクもしくはゲルコートから選択されるコーティング組成物、または接着剤組成物または化粧品組成物または成型加工用組成物、またはマスチック剤もしくは漏出防止剤、または剥離剤組成物において有機ゲル化剤として使用してもよい。
【００２９】
ゲル強度またはゲル化の度合いは、目的とする用途および使用される媒体に依存し、こうした用途および媒体に応じて調整することができる。
【００３０】
本発明はまた、前記添加剤の使用から生じる生成物である、有機ゲルまたはヒドロゲルから選択されるゲル、特にヒドロゲルも包摂する。こうしたゲルは、有機溶剤もしくは有機媒体中に有機ゲルであり、または、水もしくは水性媒体中のヒドロゲルである。
【００３１】
最後に、水性媒体中におけるヒドロゲル化剤としての、より詳細にはレオロジー添加剤としての、上記で規定されている少なくとも１つの添加剤または上記で規定された本発明による方法によって得られる少なくとも１つの添加剤の使用から生じ、特にコーティングまたは接着剤または化粧品または洗剤または剥離剤または汚染除去剤または処理済み繊維または処理済みテキスタイルから選択される、最終生成物もまた、本発明に包含される。
【００３２】
下記の例は、本発明および本発明の性能に関する説明用として提供しており、このため、いかなる観点においても包含範囲を限定することはない。
【実施例】
【００３３】
実験の部
Ｉ  使用する出発材料
【００３４】
【表１】
2016529344.tif 000002
【００３５】
ＩＩ  カプロラクタム主体型ヒドロゲル化剤アミドの調製の例
［実施例１］
１ｍｏｌのオクタデシルアミンと１ｍｏｌのカプロラクタムとの反応によるアミドＡ１の調製
１１３．１６ｇのカプロラクタム（１ｍｏｌ）、２７４．８４ｇのオクタデシルアミン（１ｍｏｌ）および１．９５ｇのＢｏｒｃｈｉｋａｔ（Ｒ）２２を窒素流下において、温度計、凝縮器および撹拌器を備え付けた１リットル反応器内に導入する。
【００３６】
混合物を、窒素流下にしたままで２５０℃に加熱する。反応は、粘度によって制御する。１５時間後、粘度値が不変（Ｂｒｏｏｋｆｉｅｌｄ（Ｒ）ＣＡＰ１０００により１００℃で測定して、＞０．２３Ｐまたは＞２３ｍＰａ．ｓ）になったら、反応混合物を１５０℃に冷却し、シリコーン製の型内に流し込む。周囲温度に冷却したらすぐに、生成物を粉砕によって機械的に微粒子化する。得られる平均サイズが７μｍになるように制御を受けた微細な粒径分布を達成するために、ふるい分けを実施する。
【００３７】
［実施例２］
１ｍｏｌのオクタデシルアミンと２ｍｏｌのカプロラクタムとの反応によるアミドＡ２の調製
２２６．３２ｇのカプロラクタム（即ち、２ｍｏｌ）、２７４．８４ｇのオクタデシルアミン（即ち、１ｍｏｌ）および１．９５ｇのＢｏｒｃｈｉｋａｔ（Ｒ）２２を窒素流下において、温度計、凝縮器および撹拌器を備え付けた１リットル反応器内に導入する。
【００３８】
手順の残り部分は、実施例１に関して記述したようにして実施する。
【００３９】
ＩＩＩ  ゲル化性能の評価
１．ヒドロゲル化剤としてのアミド添加剤の評価用の配合物
９９グラムの脱塩水、試験対象である１ｇの粉砕済みまたは微粒子化済みヒドロゲル化剤アミド添加剤、および次いで、試験対象であるヒドロゲル化剤アミドのアミン当量の４倍超に相当する過剰量になった数滴の塩酸を、棒磁石を備え付けた三角フラスコ内に導入する。続いて、三角フラスコを閉鎖する。ヒドロゲル化剤を完全に溶解させて乳濁色だが沈殿物を含まない混合物を得るために、次いで混合物を８５℃において５時間超撹拌する。最後に、混合物を試験管内に導入した後、２５℃で２４時間静置しておく。
【００４０】
上記調製条件下、３つの配合物を、それぞれ調製実施例１および調製実施例２において記述されているアミドＡ１およびアミドＡ２と、さらには比較用参考物としてのオクタデシルアミンとを用いて調製した。こうした３回の試験については、下記表２に要約している。
【００４１】
【表２】
2016529344.tif 000003
【００４２】
２．ゲルの評価
配合物についての上記３回の試験は、２つの方法によって評価しており、即ち、最初に、２４時間後の試験管内における調製した配合物の外観（表３を参照されたい。）に従って評価し、続いてＢｒｏｏｋｆｉｅｌｄ（Ｒ）粘度計による相異なるせん断速度における粘度に従って評価した（表４を参照されたい。）。
【００４３】
【表３】
2016529344.tif 000004
【００４４】
【表４】
2016529344.tif 000005
【００４５】
オクタデシルアミンとは対照的に、本発明によるアミドＡ１またはアミドＡ２を含んだ配合物は、ヒドロゲル化剤において特徴的なゲル形態になって存在する。
【００４６】
粘度の結果に関しては、アミドＡ１を含む配合物（試験２）が、チキソトロピー性であるが、水に比べてまたはオクタデシルアミンを含む配合物に比べてより粘性でもあることが、示されている。
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
脂肪族アミンＲ１ＮＨ２と、アミン形態または塩化されたアンモニウム塩形態の末端アミン官能基を有するカプロラクタムとの付加反応における、中和剤による前記アミン官能基の中和による生成物である、脂肪族アミドを主体とするゲル化剤添加剤であって、前記反応から生じ、導入されたカプロラクタム単位の数ｎによって特徴付けられ、前記数ｎがそれぞれ１、２および３である、相異なる３つのアミド化合物の混合物からなり、またはこうした混合物を含み、ここで、単位の平均数ｎ（分子当たりの平均数）が、０．８から３までの範囲である、ゲル化剤添加剤。
【請求項２】
前記３つのアミド化合物が、下記の式（Ｉ）に従って規定され、それぞれｎ＝１、ｎ＝２およびｎ＝３に相当し、
Ｒ１−ＮＨ−［−Ｃ（＝Ｏ）（ＣＨ２）５ＮＨ］ｎ−１−Ｃ（＝Ｏ）（ＣＨ２）５−Ｙ  （Ｉ）
ここで、アミンが塩化された形態である場合、Ｙが、−ＮＨ２または−ＮＨ３＋Ｘ−であり、Ｘ−が、使用された酸中和剤に関連する有機対アニオンまたは無機対アニオンＸ−Ｈである、請求項１に記載の添加剤。
【請求項３】
前記脂肪族アミンが、１０個から２４個までの範囲である、幾つかの炭素原子を含む、請求項１または２に記載の添加剤。
【請求項４】
前記アミン官能基が、塩化された形態であり、前記中和剤が、有機酸または無機酸から選択される、請求項１から３の一項に記載の添加剤。
【請求項５】
前記添加剤が、５０μｍ未満の体積平均サイズを有する、微粒子化された粉末の形態である、請求項１から４の一項に記載の添加剤。
【請求項６】
水中におけるゲル形態であり、または有機溶剤中におけるゲル形態であり、５重量％未満の含量である請求項１から５の一項に記載の添加剤。
【請求項７】
前記脂肪族アミンに対する前記カプロラクタムのモル比が、０．８から３までの範囲である、脂肪族アミンＲ１ＮＨ２とカプロラクタムとの付加反応の段階を含み、いかなる分離段階または精製段階も含まないことを特徴とする、請求項１から６の一項に従って規定される添加剤の調製のための方法。
【請求項８】
請求項１から６の一項に従って規定される少なくとも１つの添加剤または請求項７に従って規定される方法によって得られる少なくとも１つの添加剤を、ゲル化剤として含む、水性組成物、または有機溶剤媒体中の組成物。
【請求項９】
水性組成物であり、５未満の酸性ｐＨを有する、請求項８に記載の組成物。
【請求項１０】
水性界面活性剤、剥離剤組成物、汚染除去剤組成物または凝集剤組成物である、請求項８または９に記載の組成物。
【請求項１１】
コーティング組成物、接着剤組成物もしくは化粧品組成物、または繊維処理用もしくはテキスタイル処理用水性組成物である水性有機結合剤組成物であり、前記ヒドロゲル化剤が、レオロジー添加剤である、請求項８または９に記載の水性組成物。
【請求項１２】
ワニス、塗料またはインクから選択されるコーティング組成物である、請求項１１に記載の組成物。
【請求項１３】
有機ゲル形態になっている前記溶剤中の前記添加剤の組成物である有機溶剤媒体中の組成物、または、コーティング組成物であって、塗料、ワニス、インクもしくはゲルコートから選択されるコーティング組成物、または接着剤組成物、またはマスチック剤もしくは漏出防止剤、または剥離剤組成物または成型加工用組成物である、請求項８に記載の組成物。
【請求項１４】
有機ゲル化剤としての有機溶剤媒体中の組成物用、またはヒドロゲル化剤としての水性組成物中の組成物用のゲル化剤添加剤としての、請求項１から６の一項に記載の脂肪族アミドの使用。
【請求項１５】
前記添加剤が、ヒドロゲルを得るために水中でヒドロゲル化剤として使用され、または、水性の洗剤組成物、汚染除去剤組成物、剥離剤組成物もしくは凝集剤組成物、または水性コーティング組成物、特に水性の塗料組成物、ワニス組成物もしくはインク組成物、または接着剤組成物または化粧品組成物または、繊維処理用もしくはテキスタイル処理用組成物中のヒドロゲル化剤として使用される、請求項１４に記載の使用。
【請求項１６】
前記添加剤が、有機ゲルを得るために有機溶剤中で有機ゲル化剤として使用され、または、有機溶剤媒体中の組成物、特に塗料、ワニス、インクもしくはゲルコートから選択されるコーティング組成物、または接着剤組成物または化粧品組成物または成型加工用組成物、またはマスチック剤もしくは漏出防止剤、または剥離剤組成物において有機ゲル化剤として使用される、請求項１４に記載の組成物。
【請求項１７】
請求項１から６の一項に従って規定される添加剤または請求項７に従って規定される方法によって得られる添加剤の、請求項１４から１６の一項に従って規定される使用から生じる、生成物であることを特徴とする、有機ゲルまたはヒドロゲルから選択されるゲル。
【請求項１８】
水性媒体中におけるヒドロゲル化剤としての、請求項１から６の一項に従って規定される少なくとも１つの添加剤または請求項７に従って規定される方法によって得られる少なくとも１つの添加剤の使用から生じ、コーティングまたは接着剤または化粧品または洗剤または剥離剤または汚染除去剤または処理済み繊維または処理済みテキスタイルから選択される、最終生成物。
【請求項１９】
単位の平均数ｎが、０．９から２．７５までの範囲である請求項１に記載のゲル化剤。
【請求項２０】
単位の平均数ｎが、０．９から２．５までの範囲である請求項１に記載のゲル化剤。
【請求項２１】
１重量％未満の含量で、水中におけるゲル形態のヒドロゲル化剤として使用される請求項６に記載の添加剤。
【請求項２２】
添加剤が、レオロジー添加剤であるヒドロゲル化剤として使用される、請求項１８に記載の最終生成物。
【国際調査報告】
2016529344.tif 000006
2016529344.tif 000007
2016529344.tif 000008
2016529344.tif 000009
2016529344.tif 000010
2016529344.tif 000011